(57)【要約】【課題】光スイッチの動作確認を常時行うことができ、安定性及び信頼性の高い光クロスコネクト装置を目的とする。【解決手段】光スイッチ回路３と、光伝送信号入力部１１〜１Ｎに供給された光信号の光レベルをモニタする入力光レベルモニタ部４１〜４Ｎと、光スイッチ部３を監視するための監視信号を生成する監視信号生成部６１〜６Ｎと、光伝送信号入力部１１〜１Ｎと光スイッチ部３との間に設けられた監視信号生成部６１〜６Ｎで生成した監視信号又は光伝送信号入力部１１〜１Ｎに供給された光信号を選択して、選択した光信号を光スイッチ部３に供給する入力光信号選択部７１〜７Ｎと、入力光レベルモニタ部４１〜４Ｎの出力に基づいて、入力光信号選択部７１〜７Ｎを制御する入力光信号制御部５１〜５Ｎとを有する光クロスコネクト装置である。【選択図】        図２
2004207863.tif 000002
【特許請求の範囲】
【請求項１】
光スイッチ回路を有する光クロスコネクト装置において、
当該光クロスコネクト装置の光伝送信号入力部に供給された波長単位、波長群単位又は光ファイバ単位の光信号の光レベルが、所定レベル以下の場合、前記光スイッチ回路を監視するための監視信号を、波長単位、波長群単位又は光ファイバ単位毎に、前記光スイッチ回路に供給することを特徴とする光クロスコネクト装置。
【請求項２】
光スイッチ回路を有する光クロスコネクト装置において、
当該光クロスコネクト装置の光伝送信号入力部に供給された光信号の光レベルをモニタする入力光レベルモニタ手段と、
前記光スイッチ回路を監視するための監視信号を生成する監視信号生成手段と、
前記光伝送信号入力部と前記光スイッチ回路との間に設けられた手段であって、前記監視信号生成手段で生成した監視信号又は前記光伝送信号入力部に供給された光信号を選択して、選択した光信号を前記光スイッチ回路に供給する入力光信号選択手段と、
前記入力光レベルモニタ手段の出力に基づいて、前記入力光信号選択手段を制御する入力光信号制御手段とを有することを特徴とする光クロスコネクト装置。
【請求項３】
波長群単位でスイッチングする光スイッチ回路を有する光クロスコネクト装置において、
波長単位の光信号を合波して波長群の光信号とする合波手段と、
前記光スイッチ回路を監視する監視信号であって、当該光クロスコネクト装置の光伝送信号入力部に供給された入力光信号の波長と異なる波長の監視信号を生成する監視信号生成手段とを有し、
前記合波手段は、前記監視信号生成手段で生成した監視信号の光信号と前記光伝送信号入力部に供給された波長単位の光信号とを合波して、合波した波長群の光信号を前記光スイッチ回路に供給することを特徴とする光クロスコネクト装置。
【請求項４】
波長群単位でスイッチングする光スイッチ回路を有する光クロスコネクト装置において、
波長単位の光信号を合波して波長群の光信号とする合波手段と、
前記光スイッチ回路を監視する監視信号であって、当該光クロスコネクト装置の光伝送信号入力部に供給された入力光信号の波長の一つと同一の波長の監視信号を生成する監視信号生成手段と、
前記光伝送信号入力部に供給された前記監視信号の波長と同一の波長の入力光信号の光レベルをモニタする入力光レベルモニタ手段と、
前記入力光レベルモニタ手段の出力に基づいて、前記監視信号生成手段を制御する監視信号制御手段とを有し、
前記合波手段は、前記監視信号生成手段で生成した監視信号の光信号と前記光伝送信号入力部に供給された波長単位の光信号とを合波して、合波した波長群の光信号を前記光スイッチ回路に供給することを特徴とする光クロスコネクト装置。
【請求項５】
光スイッチ回路を有する光クロスコネクト装置の監視方法において、
当該光クロスコネクト装置の光伝送信号入力部に供給された波長単位、波長群単位又は光ファイバ単位の光信号の光レベルが、所定レベル以下の場合、前記光スイッチ回路を監視するための監視信号を、波長単位、波長群単位又は光ファイバ単位毎に、前記光スイッチ回路に供給することを特徴とする光クロスコネクト装置の監視方法。
【発明の詳細な説明】
【０００１】
【発明の属する技術分野】
本発明は、光クロスコネクト装置及び光クロスコネクト装置の監視方法に係り、特に、光スイッチ回路の信頼性及び安定性の高い光クロスコネクト装置及び光クロスコネクト装置の監視方法に関する。
【０００２】
【従来の技術】
インターネットの急速な普及により、バックボーンネットワークの大容量化が進んでいる。最近では、トラフィック変動に応じたダイナミックなパス設定／解除を、大容量の光パス単位で行うことを可能にした光クロスコネクト装置が開発されている。
【０００３】
この光クロスコネクト装置では、伝送されてきた光信号を電気信号に変換することなくスイッチングするため、大容量のトラフィックを収容するにも拘わらず装置の小型化が可能である。しかしながら、光クロスコネクト装置が大容量のトラフィックを収容していることから、光クロスコネクト装置の障害は、光クロスコネクト装置を利用するユーザに対して多大な影響を与えるため、安定性、信頼性を高める必要がある。例えば、特許文献1には、参照光の受信強度に基づき光増幅器の動作を、当該光増幅装置に内蔵された制御手段によって制御する技術が開示されている。
【０００４】
しかしながら、特許文献1に記載された発明は、参照光が受信されないと機能しないという問題がある。そこで、特許文献２に示されているように、光伝送線路の特定の波長の光信号が伝送されない場合でも、監視用光信号を回線に送出するようにした技術が知られている。
【０００５】
特許文献２に記載された光クロスコネクト装置を図１に示す。図１における光クロスコネクト装置１０は、光伝送信号入力部１２と光スイッチ回路１１と光伝送信号出力部１３と光信号挿入手段１５と光信号監視手段１４とを備えている。光信号挿入手段１５により監視用光信号を切り替え先あるいは切り戻し先の光伝送線路へ送出し、光伝送線路のもう一端に設置された光クロスコネクト装置内の光信号監視手段１４で監視用光信号をモニタする。
【０００６】
これにより、光クロスコネクト装置による障害時の光伝送路の切り替えあるいは復旧時の切り戻しに際して、切り替えあるいは切戻し先の光伝送信号が通っていない光伝送線路や光クロスコネクト装置内の経路の健全性（正常であること）や復旧を監視・確認しておくことができる。
【０００７】
【特許文献１】
特開２０００−３１２０４６号公報
【０００８】
【特許文献２】
特開平１１−２７２０８号公報
【０００９】
【発明が解決しようとする課題】
しかしながら、特許文献２に記載された発明は、光伝送線路や光クロスコネクト装置内の出力側の経路の健全性を確認することはできるが、光クロスコネクト装置を構成する光スイッチ回路の健全性を確認することができず。また、これにより、スイッチング状態を最適化させることもできない。
【００１０】
そこで、光クロスコネクト装置の心臓部である光スイッチ回路のスイッチング状態を最適化するために、光クロスコネクト装置を構成する光スイッチ回路の入力光信号と出力光信号の光強度を比較することにより、光スイッチ回路のスイッチング状態を最適化させて、その安定性、信頼性をより向上させることが考えられる。
【００１１】
しかしながら、この場合であっても、光スイッチ回路の入力光信号と出力光信号の光強度を比較することにより、内部スイッチング状態を最適化するためには、常時、光スイッチ回路に光信号が入力されている必要がある。しかしながら、外部から入力された光信号が途切れた場合は、その最適化動作が停止してしまう。その結果、光スイッチの正常性確認も困難になり、再度、光信号が入力されたときに安定した出力を保証することができないという問題がある。
【００１２】
また、光スイッチ回路の入力光信号と出力光信号の光強度を比較して、その動作の正常性を確認するとき、電気レベルの信号と異なり、装置内のパスを設定しただけでその正常性を確認することが困難である。従って、ユーザの運用開始前に、当該ユーザに係る光スイッチ回路が確実に機能することを確認することができず、実際にユーザの光信号が入力されてからでないと装置の障害が判断できない。このため、ユーザ信号が運用を開始して、初めて障害検出されるケースが起こり、信頼性に欠けるという問題がある。
【００１３】
本発明は、上記問題に鑑みなされたものであり、光クロスコネクト装置を構成する光スイッチの動作確認を常時行うことができ、安定性及び信頼性の高い光クロスコネクト装置及び光クロスコネクト装置の監視方法を提供することを目的とする。
【００１４】
【課題を解決するための手段】
上記課題を解決するために、本件発明は、以下の特徴を有する課題を解決するための手段を採用している。
【００１５】
請求項１に記載された発明は、光スイッチ回路を有する光クロスコネクト装置において、当該光クロスコネクト装置の光伝送信号入力部に供給された波長単位、波長群単位又は光ファイバ単位の光信号の光レベルが、所定レベル以下の場合、前記光スイッチ回路を監視するための監視信号を、波長単位、波長群単位又は光ファイバ単位毎に、前記光スイッチ回路に供給することを特徴とする。
【００１６】
請求項１に記載された発明によれば、光クロスコネクト装置の光伝送信号入力部に供給された波長単位、波長群単位又は光ファイバ単位の光信号の光レベルが、所定レベル以下の場合、光スイッチ回路を監視するための監視信号を、波長単位、波長群単位又は光ファイバ単位毎に、光スイッチ回路に供給することにより、外部からの光信号入力状態に拘わらず、常時、光スイッチ回路に対して光信号を供給させることできる。
【００１７】
請求項２に記載された発明は、光スイッチ回路を有する光クロスコネクト装置において、当該光クロスコネクト装置の光伝送信号入力部に供給された光信号の光レベルをモニタする入力光レベルモニタ手段と、前記光スイッチ回路を監視するための監視信号を生成する監視信号生成手段と、前記光伝送信号入力部と前記光スイッチ回路との間に設けられた手段であって、前記監視信号生成手段で生成した監視信号又は前記光伝送信号入力部に供給された光信号を選択して、選択した光信号を前記光スイッチ回路に供給する入力光信号選択手段と、前記入力光レベルモニタ手段の出力に基づいて、前記入力光信号選択手段を制御する入力光信号制御手段とを有することを特徴とする。
【００１８】
請求項２に記載された発明によれば、光伝送信号入力部に供給された光信号の光レベルをモニタする入力光レベルモニタ手段と、光スイッチ回路を監視するための監視信号を生成する監視信号生成手段と、光伝送信号入力部と光スイッチ回路との間に設けられた手段であって、監視信号生成手段で生成した監視信号又は光伝送信号入力部に供給された光信号を選択して、選択した光信号を前記光スイッチ回路に供給する入力光信号選択手段と、入力光レベルモニタ手段の出力に基づいて、入力光信号選択手段を制御することにより、入力光信号が存在しない場合に（又は、入力光信号が小さい場合に）、監視信号生成手段で生成した監視信号を光スイッチ回路に供給することにより、外部からの光信号入力状態に拘わらず、常時、光スイッチ回路に対して光信号を供給させることでき、その際、光スイッチ回路に対して、無駄のない監視信号の供給を行うことができる。
【００１９】
請求項３に記載された発明は、波長群単位でスイッチングする光スイッチ回路を有する光クロスコネクト装置において、波長単位の光信号を合波して波長群の光信号とする合波手段と、前記光スイッチ回路を監視する監視信号であって、当該光クロスコネクト装置の光伝送信号入力部に供給された入力光信号の波長と異なる波長の監視信号を生成する監視信号生成手段とを有し、前記合波手段は、前記監視信号生成手段で生成した監視信号の光信号と前記光伝送信号入力部に供給された波長単位の光信号とを合波して、合波した波長群の光信号を前記光スイッチ回路に供給することを特徴とする。
【００２０】
請求項３に記載された発明によれば、波長単位の光信号を合波して波長群の光信号とする合波手段と、光スイッチ回路を監視する監視信号であって、当該光クロスコネクト装置の光伝送信号入力部に供給された入力光信号の波長と異なる波長の監視信号を生成する監視信号生成手段とを有し、合波手段は、監視信号生成手段で生成した監視信号の光信号と光伝送信号入力部に供給された波長単位の光信号とを合波して、合波した波長群の光信号を前記光スイッチ回路に供給することにより、外部からの光信号入力状態に拘わらず、常時、光スイッチ回路に対して光信号を供給させることができるため、光スイッチの正常性監視や最適化動作を常に行うことが可能になり、光スイッチの安定性、信頼性が向上する。
【００２１】
また、外部入力光信号の波長と異なる波長の監視信号を外部入力光信号に多重させることで、光スイッチ回路に対して常時光信号を供給できるので、外部入力光信号と監視信号との入力切り替え処理が不要となる。
【００２２】
請求項４に記載された発明は、波長群単位でスイッチングする光スイッチ回路を有する光クロスコネクト装置において、波長単位の光信号を合波して波長群の光信号とする合波手段と、前記光スイッチ回路を監視する監視信号であって、当該光クロスコネクト装置の光伝送信号入力部に供給された入力光信号の波長の一つと同一の波長の監視信号を生成する監視信号生成手段と、前記光伝送信号入力部に供給された前記監視信号の波長と同一の波長の入力光信号の光レベルをモニタする入力光レベルモニタ手段と、前記入力光レベルモニタ手段の出力に基づいて、前記監視信号生成手段を制御する監視信号制御手段とを有し、前記合波手段は、前記監視信号生成手段で生成した監視信号の光信号と前記光伝送信号入力部に供給された波長単位の光信号とを合波して、合波した波長群の光信号を前記光スイッチ回路に供給することを特徴とする。
【００２３】
請求項４に記載された発明によれば、波長群単位でスイッチングする光スイッチ回路を有する光クロスコネクト装置において、波長単位の光信号を合波して波長群の光信号とする合波手段と、光スイッチ回路を監視する監視信号であって、当該光クロスコネクト装置の光伝送信号入力部に供給された入力光信号の波長の一つと同一の波長の監視信号を生成する監視信号生成手段と、光伝送信号入力部に供給された監視信号の波長λｎと同一の波長の入力光信号の光レベルをモニタする入力光レベルモニタ手段と、入力光レベルモニタ手段の出力に基づいて、監視信号生成手段を制御する監視信号制御手段とを有し、前記合波手段は、監視信号生成手段で生成した監視信号の光信号と光伝送信号入力部に供給された波長単位の光信号とを合波して、合波した波長群の光信号を前記光スイッチ回路に供給することにより、常に波長λｎの光信号を、光スイッチ回路に供給することが可能であり、光スイッチ回路の最適化動作を働かせることができる。
【００２４】
また、合波器、分波器において、光伝送信号の波長とは別に、監視信号用の波長をリザーブしておく必要がないため、合波器、分波器で処理可能な波長を全て光伝送信号に割当てることができる。
【００２５】
請求項５に記載された発明は、光スイッチ回路を有する光クロスコネクト装置の監視方法において、当該光クロスコネクト装置の光伝送信号入力部に供給された波長単位、波長群単位又は光ファイバ単位の光信号の光レベルが、所定レベル以下の場合、前記光スイッチ回路を監視するための監視信号を、波長単位、波長群単位又は光ファイバ単位毎に、前記光スイッチ回路に供給することを特徴とする。
【００２６】
請求項５に記載された発明によれば、当該光クロスコネクト装置の光伝送信号入力部に供給された波長単位、波長群単位又は光ファイバ単位の光信号の光レベルが、所定レベル以下の場合、前記光スイッチ回路を監視するための監視信号を、波長単位、波長群単位又は光ファイバ単位毎に、前記光スイッチ回路に供給することにより、光クロスコネクト装置を構成する光スイッチの動作確認を常時行うことができ、安定性及び信頼性の高い光クロスコネクト装置の監視方法を提供することができる。
【００２７】
【発明の実施の形態】
本件発明は、光スイッチの機能正常性や内部最適化動作を行うための監視信号を挿入する手段を装置内部に持つものである。また、本件発明は、外部からの入力光信号をモニタし、異常を検出した場合は自動的に、監視信号に切り替えるか、又は、常時、入力光信号に監視信号光を多重させておくものである。
【００２８】
これにより、外部からの光信号入力状態に拘わらず、常時、光スイッチに対して光信号を挿入させることができるため、光スイッチの正常性監視や最適化動作を常に行うことが可能になり、光スイッチの安定性、信頼性が向上する。
【００２９】
また、光クロスコネクト装置において、光スイッチの未使用入力ポートと未使用出力ポート間の接続制御を実施することで、光スイッチ障害の潜在化を防ぐことも可能となる。
【００３０】
次に、本発明の実施の形態について図面と共に説明する。図２に、第1の実施例における光クロスコネクト装置の構成例を示す。図２における光クロスコネクト装置２０は、光伝送信号入力部１１〜１Ｎ、光伝送信号出力部２１〜２Ｎ、光スイッチ部３、入力信号モニタ部４１〜４Ｎ、入力光信号制御部５１〜５Ｎ、監視信号生成部６１〜６Ｎ及び入力光信号選択部７１〜７Ｎから構成されている。
【００３１】
光クロスコネクト装置２０の光伝送信号入力部１１〜１Ｎに入力された光信号は、光スイッチ部３でスイッチングされ、所定の光伝送信号出力部２１〜２Ｎから出力される。なお、光伝送信号入力部１１〜１Ｎには、波長単位、波長群単位又は光ファイバ単位での光信号が印加され、光スイッチ部３では、波長単位、波長群単位又は光ファイバ単位で、スイッチングが行われる。
【００３２】
なお、光スイッチ部３は、ミラー型、バブル型、平面光導波路型、メカニカル型のスイッチ（例えば、ＭＥＭＳ）が用いられる。
【００３３】
また、光伝送信号入力部１１〜１Ｎ及び光伝送信号出力部２１〜２Ｎが、方路別に設けられた場合は、光スイッチ部３は、方路間における光信号をスイッチングすることができる。
【００３４】
入力信号モニタ部４は、例えば、図１９に示すような構成である。分岐部４１と光信号モニタ部４２から構成されている。光伝送信号入力部から供給された光信号を分岐部４１で、その一部を分岐し、その光信号をモニタする。ここでは、光信号の光レベルをモニタして、光信号の光レベルに応じた電気信号を生成し、その電気信号を入力光信号制御部へ供給する。なお、分岐部４１と光信号モニタ部４２を一体としても良いし、電気信号に変換しないで、光信号のままで、制御するようにしてもよい。
【００３５】
監視信号生成部６は、その監視信号生成部６に対応した方路における光信号が伝送されていない場合、又は光信号が伝送されていたとしてもその信号のレベルが所定以下の場合に、その方路に関し、スイッチングの動作の確認ができなくなるので、それを担保するための監視信号を生成する。なお、光信号が伝送されていない場合、又は光信号が伝送されていたとしてもその信号のレベルが所定以下の場合とは、回線の障害時、回線の未使用時等である。監視信号生成部６は、回線の障害時、回線の未使用時であっても、光スイッチ部３を監視可能とするために、監視信号を生成する。
【００３６】
入力光信号制御部５は、入力信号モニタ部４からの光信号の光レベルに応じた信号を受けて、入力光信号選択部７を制御する。入力信号モニタ部４からの光信号の光レベルが所定以上の場合は、光伝送信号入力部から供給された光信号を光スイッチ部３に供給するように、入力光信号選択部７を制御し、入力信号モニタ部４からの光信号の光レベルが所定以下の場合は、監視信号生成部６で生成された監視信号を光スイッチ部３に供給するように、入力光信号選択部７を制御する。
【００３７】
入力光信号選択部７は、２つの入力端に対して、１つの出力端を有し、光信号制御部５により制御される。光信号制御部５の制御により、光伝送信号入力部から供給された光信号又は監視信号生成部６で生成された監視信号を選択して、光スイッチ部３に供給する。
【００３８】
この構成により、入力信号モニタ部４１〜４Ｎにおいて、外部から光伝送信号入力部１１〜１Ｎに入力された光信号の光レベルを常時監視し、その状態を入力光信号制御部５１〜５Ｎに通知する。入力光信号制御部５１〜５Ｎでは、その光レベルが一定レベルに満たない場合には監視信号生成部６で生成された監視信号が光スイッチ部３に入力されるように入力光信号選択部７１〜７Ｎを制御する。また、光レベルが一定レベルを満たしている場合には光伝送信号入力部１１〜１Ｎに入力された光信号が光スイッチ部３に入力されるように入力光信号選択部７１〜７Ｎを制御する。
【００３９】
なお、監視信号生成部６は、監視信号を常時生成するようにしても良いが、入力光信号制御部５の制御により、入力光信号選択部７により、監視信号が選択される期間だけ（選択される期間の前後を含むようにしても良い。）生成するようにしても良い。
【００４０】
第１の実施例によれば、外部からの光信号の入力状態に拘わらず、常時、光スイッチ部３に対して、光信号を入力しておくことが可能であり、光スイッチにおける最適化動作を常に働かせることできる。
【００４１】
図３に、第２の実施例における光クロスコネクト装置の構成例を示す。図２における光クロスコネクト装置３０は、光伝送信号入力部１１〜１Ｎ、光伝送信号出力部２１〜２Ｎ、光スイッチ部３、入力信号モニタ部４１〜４Ｎ、入力光信号制御部５１〜５Ｎ、監視信号生成部６１〜６Ｎ、入力光信号選択部７１〜７Ｎ及び出力信号モニタ部２１１〜２１Ｎから構成されている。
【００４２】
第２の実施例における光クロスコネクト装置３０は、第１の実施例の図２における光スイッチ部３の後段に、出力信号モニタ部２１１〜２１Ｎを備えたものである。
【００４３】
出力信号モニタ部２１は、例えば、図２０に示すような構成である。分岐部２１１と光信号モニタ部２１２から構成されている。光スイッチ部３から出力された光信号を分岐部２１１で、その一部を分岐し、その光信号をモニタする。ここでは、光信号の光レベルをモニタして、その情報をモニタ出力の利用装置（図示せず）へ供給する。出力信号モニタ部２１から得られる情報は、光信号の有無、光信号の光レベルデータ等である。
【００４４】
モニタ出力の利用装置では、出力信号モニタ部２１からの情報に基づいて、種々の動作を行う。例えば、障害の検出・報知・復旧、光スイッチのミラー角度の自動調整、光スイッチのソフトウエアの変更等である。
【００４５】
また、モニタ出力の利用装置は、前段の（遠方に存在する）光クロスコネクト装置が送出した監視信号を、当該光クロスコネクト装置の出力信号モニタ部２１がモニタして、その情報に基づいて、回線等の監視を行うこともできる。
【００４６】
実施例1において説明したように、光スイッチ部３の入力側は常に光信号が入力されている状態が維持されているため、第２の実施例によれば、出力信号モニタ部２１１〜２１Ｎで光スイッチ部３の出力信号レベルを監視することで、外部からの光信号入力状態に拘わらず、光スイッチ部３の障害等の監視を行うことができる。
【００４７】
図４に、第３の実施例における光クロスコネクト装置の構成例を示す。図４における光クロスコネクト装置４０は、光伝送信号入力部１１〜１Ｎ、光伝送信号出力部２１〜２Ｎ、光スイッチ部３、入力信号モニタ部４１〜４Ｎ、入力光信号制御部５１〜５Ｎ、監視信号生成部６１〜６Ｎ、入力光信号選択部７１〜７Ｎ、出力信号モニタ部２１１〜２１Ｎ、出力遮断部２２１〜２２Ｎ及び出力光信号制御部２３から構成されている。
【００４８】
第３の実施例における光クロスコネクト装置４０は、第２の実施例の図３における光出力部２の前方の段（又は、光スイッチ部３の後方の段）に、出力遮断部２２１〜２２Ｎを設け、さらに、この出力遮断部２２１〜２２Ｎを制御する出力光信号制御部２３を備えたものである。
【００４９】
出力遮断部２２は、入力信号を遮断する回路で、出力光信号制御部２３により制御される。出力遮断部２２として、例えば、図２０に示すような構成が用いられる。１つの入力端に対して、２つの出力端を有し、出力光信号制御部２３により制御される。出力信号モニタ部２１を介して光スイッチ部３からの出力信号が、出力光信号制御部２３の制御により、光信号出力２又は終端部又は監視信号処理部等(図示せず)に供給される。
【００５０】
出力光信号制御部２３は、入力信号モニタ部４からの光信号の光レベルに応じた信号を受けて、出力遮断部２２を制御する。入力信号モニタ部４からの光信号の光レベルが所定以上の場合は、光スイッチ部３からの出力信号を光伝送信号出力部２に供給するように（▲１▼）、出力遮断部２２を制御し、入力信号モニタ部４からの光信号の光レベルが所定以下の場合は、光スイッチ部３からの出力信号を、光信号出力２又は終端部又は監視信号処理部等に供給するようにして（▲２▼）、光伝送信号出力部２への供給を遮断する。
【００５１】
出力光信号制御部２３は、光スイッチ部３の入力ポートと出力ポートの接続情報を保持し、さらに、入力信号モニタ部４からの光信号の光レベルに応じた信号を受けているので、監視信号生成部６で生成された監視信号が印加された入力ポート及びその監視信号が出力される出力ポートを知ることができる。そこで、出力光信号制御部２３は、監視信号が出力される出力ポートからの監視信号のみを、遮断するように、出力遮断部２２を制御することができる。
【００５２】
第３の実施例は、監視信号生成部６で生成された監視信号を外部に送出することが許容されない場合のために、光スイッチ部３の後段において該監視信号を遮断する出力遮断部２２を備えたものである。しかしながら、この出力遮断部２２において、監視信号生成部６で生成された監視信号以外の主信号については遮断しないように、出力光信号制御部２３により出力遮断部２２の制御を行う。
【００５３】
この出力光信号制御部２３では、光スイッチ部３の入力ポートと出力ポートの接続情報を保持しており、入力信号モニタ部４における光レベルが一定レベルに満たない場合にはその入力ポートと対応した出力ポートの出力遮断部２２を制御することにより、監視信号生成部６で生成された監視信号を遮断する。逆に、入力信号モニタ部４における光レベルが一定レベルを満たす場合には、その光信号を透過させる。
【００５４】
第３の実施例によれば、監視信号生成部６で生成された監視信号を外部に送出しないようにすることができる。
【００５５】
図５に、第４の実施例における光クロスコネクト装置の構成例を示す。図５における光クロスコネクト装置５０は、光伝送信号入力部１１〜１Ｎ、光伝送信号出力部２１〜２Ｎ、光スイッチ部３、入力信号モニタ部４１〜４Ｎ、入力光信号制御部５１〜５Ｎ、監視信号生成部６１〜６Ｎ、入力光信号選択部７１〜７Ｎ、出力信号モニタ部２１１〜２１Ｎ、出力光信号制御部２３、出力先選択部２４１〜２４Ｎ及び監視信号処理部２５１〜２５Ｎから構成されている。
【００５６】
第４の実施例における光クロスコネクト装置５０は、第３の実施例の図４における出力遮断部２２を１×２の光スイッチの様な出力先選択部２４１〜２４Ｎ及び監視信号処理部２５１〜２５Ｎで構成したものである。
【００５７】
出力先選択部２４１〜２４Ｎ及び監視信号処理部２５１〜２５Ｎの構成例を図２１に示す。出力先選択部２４は、１つの入力端に対して、２つの出力端を有し、出力光信号制御部２３により制御される。監視信号処理部２５は、光／電気変換部２５１及び信号処理部２５２から構成され、監視信号を処理して、処理した信号を監視信号利用装置へ送出する。
【００５８】
出力光信号制御部２３は、入力信号モニタ部４からの光信号の光レベルに応じた信号を受けて、出力先選択部２４を制御する。入力信号モニタ部４からの光信号の光レベルが所定以上の場合は、光スイッチ部３からの出力信号を光伝送信号出力部２に供給する（▲１▼）ように、出力先選択部２４を制御し、入力信号モニタ部４からの光信号の光レベルが所定以下の場合は、光スイッチ部３からの出力信号を、監視信号処理部２５に供給する（▲２▼）。
【００５９】
これにより、出力先選択部２４は、第３の実施例のように、監視信号生成部６で生成された監視信号を外部に送出しないようにすることができ、さらに、外部に送出しない監視信号を抽出、モニタして、監視信号を有効利用することができる。
【００６０】
例えば、監視信号生成部６で生成された監視信号として、試験信号パターンを用いた場合、監視信号処理部２５で試験信号パターンを処理して、精度の高い、光スイッチ部３の監視を行うことができる。
【００６１】
実施例４によれば、監視信号生成部６で生成された監視信号を外部に対して遮断するだけでなく、監視信号を抽出、モニタして、監視信号を有効利用することができる。また、監視信号として、単なる周波数信号でなく、特定の信号により変調された監視信号（例えば、試験信号パターン)を用いた場合は、種々の精度の高い光スイッチに関する監視を行うことができる。
【００６２】
実施例４における光クロスコネクト装置の動作例を図６に示す。まず、最初に、外部から光伝送信号入力部１１に光信号#1が入力され、光伝送信号入力部１Ｎに光信号#ｎが入力されている。光スイッチ部３により、光信号#1及び光信号#ｎが、それぞれ、光伝送信号出力部２Ｎ及び光伝送信号出力部２１に、スイッチングされ外部に出力されているとする。ここで、光伝送信号入力部１Ｎに入力されている光信号#nが障害により断した場合を考える。入力信号モニタ部４Ｎにおいて、信号のレベルが所定レベル以下となることから、光信号#nの断が検出される。この検出情報に基づいて、入力光信号制御部２３が入力選択部７Ｎを制御し、光信号#nの代わりに監視信号生成部６Ｎで生成された監視信号を光スイッチ部３に送出する。また、それと同時に出力光信号制御部２３も、光信号#nの障害発生を知り、光信号#nに対応する出力ポートが#1であることを知るため、出力ポート#1に対応する出力先選択部２４１を制御して、監視信号を監視信号処理部２５Ｎに出力させる。
【００６３】
当初から特定の光伝送信号入力部に、外部から光が入力されていない場合も、同じように動作する。外部から光が入力されていない特定の光伝送信号入力部の光信号に代えて、監視信号が挿入されるので、光スイッチ部３には、光スイッチ部３の全ての入力ポートに光信号が供給される。これにより、光スイッチ部３の全入力ポートに関する動作確認を行うことができる。また、挿入された監視信号は、出力光信号制御部２３によって、外部に送出されないように制御される。
【００６４】
また、光信号#nの障害が復旧した場合は、正常な光信号をモニタ部４Ｎで検出する。この検出情報に基づいて、入力光信号制御部２３が入力選択部７Ｎを切り替えて、監視信号の代わり光信号#nを光スイッチ部３に送出する。また、それと同時に、出力光信号制御部２３は、光信号#nの障害の復旧を知り、光信号#ｎの出力ポート#１における出力先選択部２４１を制御して、光信号#ｎを光伝送信号出力部２１に出力させるように制御する。
【００６５】
図７に、第５の実施例における光クロスコネクト装置の構成例を示す。図７における光クロスコネクト装置６０は、光伝送信号入力部１１〜１Ｎ、光伝送信号出力部２１〜２Ｎ、光スイッチ部３、入力信号モニタ部４１〜４Ｎ、入力光信号制御部５１〜５Ｎ、監視信号生成部６１〜６Ｎ、入力光信号選択部７１〜７Ｎ、出力信号モニタ部２１１〜２１Ｎ、出力光信号制御部２３、出力先選択部２４１〜２４Ｎ、監視信号処理部２５１〜２５Ｎ及び光スイッチ制御部２６から構成されている。
【００６６】
第５の実施例における光クロスコネクト装置６０は、第４の実施例の図５における光クロスコネクト装置５０に、光スイッチ制御部２６を付加した構成である。
【００６７】
光スイッチ制御部２６は、光スイッチ部３の未使用入力ポートと未使用出力ポートとの接続を制御する。
【００６８】
例えば、光スイッチ制御部２６が、未使用ポート間のスイッチング状態を定期的に切り替えることにより、光スイッチ部３の未使用ポート間のスイッチングの動作確認を行うことができる。また、光スイッチ制御部２６が、ユーザが利用する直前に、そのユーザが使用する予定の入力ポートと出力ポートとの接続を行うことにより、光スイッチ部３の機能が正常に動作することを確認することができる。
【００６９】
なお、光スイッチ部３の機能確認は、出力信号モニタ部２１又は監視信号処理部２５において、監視信号を処理することにより行う。
【００７０】
第５の実施例によれば、光スイッチ部３の障害潜在化を防ぎ、ユーザから装置に対して光入力が開始される時に初めて、光スイッチ部３の障害が検出されるような事態を未然に防ぐことができる。
【００７１】
図８に、第６の実施例における光クロスコネクト装置の構成例を示す。図８における光クロスコネクト装置７０は、光伝送信号入力部１１１〜１Ｎｎ、光伝送信号出力部２１１〜２Ｎｎ、光スイッチ部７３、監視信号生成部７１１〜７１Ｎ、合波器７２１〜７２Ｎ、分波器７４１〜７４Ｎ及び監視信号処理部７５１〜７５Ｎから構成されている。
【００７２】
先ず、光クロスコネクト装置７０に入力された光信号に着目すれば、光クロスコネクト装置７０の光伝送信号入力部１１１〜１Ｎｎに入力された光信号は、合波器７２１〜７２Ｎにより、ｎ波単位で多重化されてＮ個の多重光信号となり、Ｎ個の光スイッチ部３の入力ポート（＃１〜＃Ｎ）に供給される。Ｎ個の入力ポートに供給された多重光信号のそれぞれは、光スイッチ部３でスイッチングされ、所定の出力ポート（＃１〜＃Ｎ）から出力される。出力ポートから出力された多重光信号は、分波器７４で分波され、波長単位の光信号が、光伝送信号出力部２１〜２Ｎから出力される。また、光伝送信号入力部１１〜１Ｎには、波長単位での光信号が印加され、光スイッチ部３では、波長群単位でスイッチングが行われる。
【００７３】
このように、光クロスコネクト装置７０の光伝送信号入力部１１１〜１１ｎに入力された光信号（波長：λ１〜λｎ)は、合波器７２１により多重化され、光スイッチ部３の入力ポート＃１に供給される。同様に、光クロスコネクト装置７０の光伝送信号入力部１Ｎ１〜１Ｎｎに入力された光信号（波長：λ１〜λｎ)は、合波器７２Ｎにより多重化され、光スイッチ部３の入力ポート＃Ｎに供給される。
【００７４】
次に、監視信号について説明する。監視信号生成部７１１で生成された波長λｍ（λｍは、波長λ１〜λｎとは異なる波長である。）の監視信号が、合波器７２１で、光伝送信号入力部１１１〜１１ｎに入力された波長λ１〜λｎの光信号と合波されて、光スイッチ部３の入力ポート＃１に供給される。同様に、監視信号生成部７１Ｎで生成された波長λｍの監視信号が、合波器７２Ｎで、光伝送信号入力部１Ｎ１〜１Ｎｎに入力された波長λ１〜λｎの光信号と合波されて、光スイッチ部３の入力ポート＃Ｎに供給される。これにより、波長λ１〜λｎの光信号毎に、波長λｍの監視信号が多重化されて、光スイッチ部３の入力ポートに供給される。したがって、光スイッチ部３の全入力ポートには、外部からの光信号入力状態に拘わらず、少なくとも、波長λｍの監視信号が供給されており、光信号が供給されない入力ポートは存在しない。
【００７５】
光スイッチ部７３は、波長群（波長：λ１〜λｎ、λｍ)単位で入力ポート＃１〜＃Ｎと出力ポート＃１〜＃Ｎ間のスイッチングを行う。スイッチングされた出力ポート＃１における波長λ１〜λｎの光信号は、分波器７４１で波長λ１〜λｎの光信号に分波され、それぞれ、光伝送信号出力部２１１〜２１ｎから出力される。同様に、出力ポート＃Ｎにおける波長λ１〜λｎの光信号は、分波器７４Ｎで波長λ１〜λｎの光信号に分波され、それぞれ、光伝送信号出力部２Ｎ１〜２Ｎｎから出力される。
【００７６】
また、波長λｍの監視信号は、分波器７４１〜７４Ｎで分波されて、監視信号処理部７５１〜７５Ｎに供給される。
【００７７】
また、実施例６によれば、監視信号生成部７１で生成された波長λｍの監視信号を、波長λ１〜λｎの外部入力光信号に多重させることで、実施例１〜５のような外部入力光信号との入力切り替え処理を不要にしている。
【００７８】
実施例６によっても、外部からの光信号の入力状態に拘わらず、常時、光スイッチ部３に対して、光信号を入力しておくことが可能であり、光スイッチにおける最適化動作を常に働かせることできる。
【００７９】
図９に、第７の実施例における光クロスコネクト装置の構成例を示す。図９における光クロスコネクト装置８０は、光伝送信号入力部１１１〜１Ｎｎ、光伝送信号出力部２１１〜２Ｎｎ、光スイッチ部７３、合波器７２１〜７２Ｎ、分波器７４１〜７４Ｎ、監視信号処理部７５１〜７５Ｎ、監視信号生成部７６１〜７６Ｎ及び波長変換部７７１〜７７Ｎから構成されている。
【００８０】
第７の実施例における光クロスコネクト装置８０は、第６の実施例の図８における監視信号生成部７１１〜７１Ｎを、監視信号生成部７６１〜７６Ｎ及び波長変換部７７１〜７７Ｎで構成したものである。
【００８１】
第６の実施例の図８における監視信号生成部７１は、波長λｍの光信号を生成する必要があるが、第７の実施例の図９における監視信号生成部７６は、監視信号生成部７６で生成した監視信号に対して、波長変換部７７で波長変換するので、波長λｍ以外の波長を生成するもので良い。
【００８２】
図１０に、第８の実施例における光クロスコネクト装置の構成例を示す。図１０における光クロスコネクト装置９０は、光伝送信号入力部１１１〜１Ｎｎ、光伝送信号出力部２１１〜２Ｎｎ、光スイッチ部７３、監視信号生成部７１１〜７１Ｎ、合波器７２１〜７２Ｎ、分波器７４１〜７４Ｎ、監視信号処理部７５１〜７５Ｎ及び波長変換部９１Ｎ〜９Ｎｎから構成されている。
【００８３】
第８の実施例における光クロスコネクト装置９０は、第６の実施例の図８における光クロスコネクト装置７０において、光伝送信号入力部１１１〜１Ｎｎと合波器７２１〜７２Ｎとのそれぞれの間に波長変換部９１１〜９Ｎｎを設けたものである。
【００８４】
第８の実施例によれば、光伝送信号入力部１と合波器７２との間に波長変換部９を備えることで、合波器７２に入力される光信号の波長における制限をなくすことができる。つまり、光伝送信号入力部１に入力される伝送光信号の波長に関係なく、合波器７２に適した波長を、合波器７２に供給することができる。
【００８５】
実施例９は、図８〜図１０のそれぞれに記載されている。つまり、実施例９は、光スイッチ回路７３と光伝送信号出力部２との間に分波器７４を備えるものである。これにより、実施例４における出力先選択部２４及び出力光信号制御部２３が不要となり、外部へ出力する光信号には全く影響を与えることなく、監視信号生成部で生成された監視信号を監視信号処理部で常に抽出、モニタすることが可能となる。
【００８６】
図１１に、第１０の実施例における光クロスコネクト装置の構成例を示す。図１１における光クロスコネクト装置１００は、光伝送信号入力部１１１〜１Ｎｎ、光伝送信号出力部２１１〜２Ｎｎ、光スイッチ部７３、入力信号モニタ部９２１〜９２Ｎ、監視信号制御部９３１〜９３Ｎ、監視信号生成部９４１〜９４Ｎ、合波器９５１〜９５Ｎ及び分波器９６１〜９６Ｎから構成されている。
【００８７】
入力信号モニタ部９２１〜９２Ｎは、光伝送信号入力部１に供給された波長λ１〜λｎの外部入力光信号の内、波長λｎの外部入力光信号の光レベルをモニタする。
【００８８】
監視信号制御部９３は、入力信号モニタ部９２からの波長λｎの光信号の光レベルに応じた信号を受けて、監視信号生成部９４を制御する。入力信号モニタ部９２からの光信号の光レベルが所定以上の場合は、監視信号生成部９４から監視信号が合波器９５に出力されないように、監視信号生成部９４を制御し、また、入力信号モニタ部９２からの光信号の光レベルが所定以下の場合は、監視信号生成部６で生成された監視信号が合波器９５に供給されるように、監視信号生成部９４を制御する。
【００８９】
監視信号生成部９４は、光スイッチ回路７３を監視する監視信号であって、光伝送信号入力部１に供給された入力光信号の波長（波長：λ１〜λｎ）の一つと同一の波長（例えば、波長λｎ）の監視信号を生成する。監視信号生成部９４は、監視信号制御部９３により制御されて、監視信号を生成する。
【００９０】
合波器９５は、波長単位の光信号（波長：λ１〜λｎ）を合波して波長群の光信号とし、合波した波長群の光信号を前記光スイッチ部７３に供給する。
【００９１】
第１０の実施例によれば、入力信号モニタ部９２が光伝送信号入力部１に供給された波長λ１〜λｎの外部入力光信号の内、波長λｎの外部入力光信号の光レベルをモニタし、入力信号モニタ部９２からの光信号の光レベルが所定以下の場合は、監視信号生成部６で生成された波長λｎの監視信号が光スイッチ部７３に供給される。これにより、外部からの光信号の入力状態に拘わらず、常に波長λｎの光信号を、光スイッチ部７３に供給することが可能であり、光スイッチ部７３の最適化動作を働かせることができる。
【００９２】
図１２に、第１１の実施例における光クロスコネクト装置の構成例を示す。図１２における光クロスコネクト装置１１０は、光伝送信号入力部１１１〜１Ｎｎ、光伝送信号出力部２１１〜２Ｎｎ、光スイッチ部７３、入力信号モニタ部９２１〜９２Ｎ、監視信号制御部９３１〜９３Ｎ、合波器９５１〜９５Ｎ、分波器９６１〜９６Ｎ、波長変換部９７１〜９７Ｎ及び監視信号生成部９９１〜９９Ｎから構成されている。
【００９３】
第１１の実施例における光クロスコネクト装置１１０は、第１０の実施例の図１１における監視信号生成部９４１〜９４Ｎを、監視信号生成部９９１〜９９Ｎ及び波長変換部９７１〜９７Ｎで構成したものである。
【００９４】
第１１の実施例によれば、入力信号モニタ部９２でモニタする光信号の波長と監視信号生成部９９１〜９９Ｎの挿入光信号の波長との間に制限がなくなるため、外部から入力される光信号の波長に関して自由度が拡がるとともに入力信号モニタ部９２の搭載位置に関しても自由度が拡がる。
【００９５】
図１３に、第１２の実施例における光クロスコネクト装置の構成例を示す。図１３おける光クロスコネクト装置１２０は、光伝送信号入力部１１１〜１Ｎｎ、光伝送信号出力部２１１〜２Ｎｎ、光スイッチ部７３、波長変換部９１１１〜９１Ｎｎ、入力信号モニタ部９２１〜９２Ｎ、監視信号制御部９３１〜９３Ｎ、監視信号生成部９４１〜９４Ｎ、合波器９５１〜９５Ｎ及び分波器９６１〜９６Ｎから構成されている。
【００９６】
第１２の実施例における光クロスコネクト装置１２０は、第１０の実施例の図１１における光クロスコネクト装置１００において、光伝送信号入力部１１１〜１Ｎｎと合波器９５１〜９５Ｎとのそれぞれの間に波長変換部９１１１〜９１Ｎｎを設けたものである。
【００９７】
第１２の実施例によれば、光伝送信号入力部１と合波器９５との間に波長変換部９１を備えることで、実施例１０と同様の効果がある上、さらに、外部から入力される光信号の波長に関する制限がなくなる。
【００９８】
図１４に、第１３の実施例における光クロスコネクト装置の構成例を示す。図１４おける光クロスコネクト装置１３０は、光伝送信号入力部１１１〜１Ｎｎ、光伝送信号出力部２１１〜２Ｎｎ、光スイッチ部７３、入力信号モニタ部９２１〜９２Ｎ、監視信号制御部９３１〜９３Ｎ、監視信号生成部９４１〜９４Ｎ、合波器９５１〜９５Ｎ、分波器９６１〜９６Ｎ及び出力信号モニタ部９８１〜９８Ｎから構成されている。
【００９９】
第１３の実施例における光クロスコネクト装置１３０は、第１０の実施例の図１１における光クロスコネクト装置１００において、分波器９６１〜９６Ｎで分波された波長λｎの光信号をモニタする出力信号モニタ部９８１〜９８Ｎを設けたものである。
【０１００】
第１３の実施例によれば、実施例４における出力先選択部２４及び出力光信号制御部２３が不要で、外部へ出力する光信号には全く影響を与えることなく、監視信号生成部で生成された監視信号を監視信号処理部で常に抽出、モニタすることが可能となる。
【０１０１】
波長λｎの光信号は、外部からの光信号入力状態に拘わらず常に光スイッチ部７３の全入力ポートに供給されているため、光スイッチ部７３が正常であれば、光スイッチ部７３のスイッチング状態に拘わらず常に光レベルを検出するはずであり、光スイッチ部７３の全ポートの障害監視が常時可能となる。
【０１０２】
図１５に、第１４の実施例における光クロスコネクト装置の構成例を示す。図１５おける光クロスコネクト装置１４０は、光伝送信号入力部１１１〜１Ｎｎ、光伝送信号出力部２１１〜２Ｎｎ、光スイッチ部７３、入力信号モニタ部９２１〜９２Ｎ、監視信号制御部９３１〜９３Ｎ、監視信号生成部９４１〜９４Ｎ、合波器９５１〜９５Ｎ、分波器９６１〜９６Ｎ、出力光信号制御部１１１及び出力遮断部１１２１〜１１２Ｎから構成されている。
【０１０３】
第１４の実施例における光クロスコネクト装置１４０は、第１１の実施例の図１２における光出力部２の前段に、出力遮断部１１２１〜１１２Ｎを設け、さらに、この出力遮断部１１２１〜１１２Ｎを制御する出力光信号制御部１１１を備えたものである。
【０１０４】
出力遮断部１１２は、入力信号を遮断する回路で、出力光信号制御部１１１より制御される。出力遮断部１１２として、例えば、図４の出力遮断部２２を用いることができる。
【０１０５】
出力光信号制御部１１１は、入力信号モニタ部９２からの光信号の光レベルに応じた信号を受けて、出力遮断部１１２を制御する。入力信号モニタ部９２からの光信号の光レベルが所定以上の場合は、分波器９６１〜９６Ｎで分波された波長λｎの光信号を光伝送信号出力部２に供給するように、出力遮断部１１２を制御する。これにより、入力信号モニタ部９２における波長λｎの外部入力光の信号光レベルが一定レベルを満たす場合には、この外部入力光信号を透過させる。
【０１０６】
また、入力信号モニタ部９２からの光信号の光レベルが所定以下の場合は、分波器９６１〜９６Ｎで分波された波長λｎの光信号を遮断し、波長λｎの監視信号を光伝送信号出力部２への供給しないように制御する。
【０１０７】
出力光信号制御部１１１は、光スイッチ部７３の入力ポートと出力ポートの接続情報を保持し、さらに、入力信号モニタ部９２からの光信号の光レベルに応じた信号を受けているので、監視信号生成部９４で生成された監視信号が印加された入力ポート及びその監視信号が出力される出力ポートを知ることができる。そこで、出力光信号制御部１１１は、監視信号が出力される出力ポートからの監視信号のみを、遮断するように、出力遮断部１１２を制御することができる。
【０１０８】
第１４の実施例によれば、監視信号生成部９４で生成された監視信号を外部に送出しないようにすることができる。
【０１０９】
実施例１４における光クロスコネクト装置の動作例を図１６に示す。まず、最初に、外部から光伝送信号入力部１１１に光信号#1-1が入力され、光伝送信号入力部１１ｎに光信号#1-nが入力され、光伝送信号入力部１Ｎ１に光信号#N-１が入力され、光伝送信号入力部１Ｎｎに光信号#N-n が入力されている。光スイッチ部７３により、入力ポート＃１の光信号及び入力ポート＃Ｎの光信号が、それぞれ、出力ポート＃Ｎ及び出力ポート＃１に、スイッチングされ外部に出力されているとする。その結果、光伝送信号出力部２１１に光信号#N-1が出力され、光伝送信号出力部２１ｎに光信号#N-nが出力され、光伝送信号出力部２Ｎ１に光信号#1-1が出力され、光伝送信号出力部２Ｎｎに光信号#１-nが出力される。
【０１１０】
ここで、波長λｎの光信号#N-nが障害により断した場合、それが入力信号モニタ部９２Ｎで検出される。この検出情報に基づいて、監視信号制御部９３Ｎが、監視信号生成部９４Ｎを制御して、波長λｎの監視信号を生成し、光信号#N-nの代わりに、波長λｎの監視信号を合波器９５Ｎを介して、光スイッチ部３の入力ポート#Nに送出する。また、それと同時に出力光信号制御部１１１も、光信号#N-nの障害発生を知る。出力光信号制御部１１１は、光信号#N-nに対応する出力ポートが#1であることを知っているので、出力ポート#1に対応する出力遮断部１１２１を制御して、波長λｎの監視信号を遮断する。
【０１１１】
当初から特定の光伝送信号入力部に、外部から光が入力されていない場合も、同じように動作する。外部から光が入力されていない特定の光伝送信号入力部の光信号に代えて、監視信号が挿入されるので、光スイッチ部３には、光スイッチ部３の全ての入力ポートに光信号が供給される。これにより、光スイッチ部３の全入力ポートに関する動作確認を行うことができる。また、挿入された監視信号は、出力光信号制御部１１１によって、外部に送出されないように制御される。
【０１１２】
また、光信号#N-nの障害が復旧した場合は、正常な光信号の信号をモニタ部９２Ｎで検出する。この検出情報に基づいて、入力光信号制御部１１１が監視信号生成部９４Ｎを制御して、監視信号生成部９４Ｎによる監視信号の生成を停止する。これにより、光伝送信号入力部１Ｎｎに入力された光信号#N-nを光スイッチ部３に送出する。また、それと同時に、出力光信号制御部１１１は、光信号#N-nの障害の復旧を知り、光信号#N-nの出力ポート#１における出力遮断部１１２１を制御して、光信号#N-nを光伝送信号出力部２１ｎに出力させるように制御する。
【０１１３】
図１７に、第１５の実施例における光クロスコネクト装置の構成例を示す。図１５おける光クロスコネクト装置１５０は、光伝送信号入力部１１１〜１Ｎｎ、光伝送信号出力部２１１〜２Ｎｎ、光スイッチ部７３、入力信号モニタ部９２１〜９２Ｎ、監視信号制御部９３１〜９３Ｎ、監視信号生成部９４１〜９４Ｎ、合波器９５１〜９５Ｎ、分波器９６１〜９６Ｎ、出力光信号制御部１１１、出力先選択部１１３１〜１１３Ｎ及び監視信号処理部１１４１〜１１４Ｎから構成されている。
【０１１４】
実施例１５は、実施例１４における出力遮断部１１２を、図５と同様に、１の入力端に対して２以上の出力端を備えた出力先選択手段としたものである。
【０１１５】
実施例１５によれば、監視信号生成部９４で生成された監視信号を外部に対して遮断するだけでなく、監視信号を抽出、モニタして、監視信号を有効利用することができる。また、監視信号として、単なる周波数信号でなく、特定の信号により変調された監視信号（例えば、試験信号パターン）を用いた場合は、種々の精度の高い光スイッチに関する監視を行うことができる。
【０１１６】
図１８に、第１６の実施例における光クロスコネクト装置の構成例を示す。図１８おける光クロスコネクト装置１６０は、光伝送信号入力部１１１〜１Ｎｎ、光伝送信号出力部２１１〜２Ｎｎ、光スイッチ部７３、入力信号モニタ部９２１〜９２Ｎ、監視信号制御部９３１〜９３Ｎ、監視信号生成部９４１〜９４Ｎ、合波器９５１〜９５Ｎ、分波器９６１〜９６Ｎ、出力信号モニタ部９８１〜９８Ｎ及び光スイッチ制御部１１３から構成されている。
【０１１７】
第１６の実施例における光クロスコネクト装置１６０は、第１３の実施例の図１４における光クロスコネクト装置１３０に、光スイッチ制御部１１３を付加した構成である。
【０１１８】
光スイッチ制御部１１３は、光スイッチ部７３の未使用入力ポートと未使用出力ポートとの接続を制御する。
【０１１９】
例えば、光スイッチ制御部１１３が、未使用ポート間のスイッチング状態を定期的に切り替えることにより、光スイッチ部７３の未使用ポート間のスイッチングの動作確認を行うことができる。また、光スイッチ制御部１１３が、ユーザが利用する直前に、そのユーザが使用する予定の入力ポートと出力ポートとの接続を行うことにより、光スイッチ部７３の機能が正常に動作することを確認することができる。
【０１２０】
第１６の実施例によれば、光スイッチ部７３の障害潜在化を防ぎ、ユーザから装置に対して光入力が開始される時に初めて、光スイッチ部７３の障害が検出されるような事態を未然に防ぐことができる。
【０１２１】
本発明によれば、外部からの光信号入力状態に拘わらず、光スイッチ回路の正常性確認および内部最適化動作を常時機能させることが可能であり、また、光スイッチ障害の潜在化を防ぐことが可能である。
【０１２２】
また、図２〜図１８の光クロスコネクト装置は、光伝送信号入力部に供給された波長単位、波長群単位又は光ファイバ単位の光信号の光レベルが、所定レベル以下の場合、前記光スイッチ回路を監視するための監視信号を、波長単位、波長群単位又は光ファイバ単位毎に、前記光スイッチ回路に供給するものである。したがって、図２〜図１８の光クロスコネクト装置を別の観点で見れば、これらの図には、光スイッチ回路を有する光クロスコネクト装置の監視方法であって、当該光クロスコネクト装置の光伝送信号入力部に供給された波長単位、波長群単位又は光ファイバ単位の光信号の光レベルが、所定レベル以下の場合、前記光スイッチ回路を監視するための監視信号を、波長単位、波長群単位又は光ファイバ単位毎に、前記光スイッチ回路に供給する光クロスコネクト装置の監視方法が記載されている。
【０１２３】
なお、請求項における「光スイッチ回路」、「入力光レベルモニタ手段」、「監視信号生成手段」、「入力光信号選択手段」及び「合波手段」は、図面における「光スイッチ部」、「入力光レベルモニタ部」、「監視信号生成部」、「入力光信号選択部」及び「合波器」に対応する。
【０１２４】
本発明は、以下の態様を有する。
（付記１）光スイッチ回路を有する光クロスコネクト装置において、
当該光クロスコネクト装置の光伝送信号入力部に供給された波長単位、波長群単位又は光ファイバ単位の光信号の光レベルが、所定レベル以下の場合、前記光スイッチ回路を監視するための信号を、波長単位、波長群単位又は光ファイバ単位毎に、前記光スイッチ回路に供給することを特徴とする光クロスコネクト装置。
（付記２）光スイッチ回路を有する光クロスコネクト装置において、
当該光クロスコネクト装置の光伝送信号入力部に供給された光信号の光レベルをモニタする入力光レベルモニタ手段と、
前記光スイッチ回路を監視するための監視信号を生成する監視信号生成手段と、
前記光伝送信号入力部と前記光スイッチ回路との間に設けられた手段であって、前記監視信号生成手段で生成した監視信号又は前記光伝送信号入力部に供給された光信号を選択して、選択した光信号を前記光スイッチ回路に供給する入力光信号選択手段と、
前記入力光レベルモニタ手段の出力に基づいて、前記入力光信号選択手段を制御する入力光信号制御手段とを有することを特徴とする光クロスコネクト装置。
（付記３）前記光スイッチ回路から出力された光信号の光レベルをモニタする出力光レベルモニタ手段を有し、
前記出力光レベルモニタ手段の出力に基づいて、前記光スイッチ回路の監視を行うことを特徴とする付記２記載の光クロスコネクト装置。
（付記４）前記光スイッチ回路と当該光クロスコネクト装置の光伝送信号出力部との間に設けた前記監視信号を遮断する出力遮断手段と、
前記入力光レベルモニタ手段の出力に基づいて、前記出力遮断手段を制御する出力光信号制御手段とを有することを特徴とする付記３記載の光クロスコネクト装置。
（付記５）前記出力遮断手段は、１の入力端に対して２以上の出力端を備えた出力先選択手段を有することを特徴とする付記４記載の光クロスコネクト装置。
（付記６）前記光スイッチの未使用入力ポートと未使用出力ポート間の接続を制御する光スイッチ制御手段を有することを特徴とする付記３ないし５いずれか一項記載の光クロスコネクト装置。
（付記７）波長群単位でスイッチングする光スイッチ回路を有する光クロスコネクト装置において、
波長単位の光信号を合波して波長群の光信号とする合波手段と、
前記光スイッチ回路を監視する監視信号であって、当該光クロスコネクト装置の光伝送信号入力部に供給された入力光信号の波長と異なる波長の監視信号を生成する監視信号生成手段とを有し、
前記合波手段は、前記監視信号生成手段で生成した監視信号の光信号と前記光伝送信号入力部に供給された波長単位の光信号とを合波して、合波した波長群の光信号を前記光スイッチ回路に供給することを特徴とする光クロスコネクト装置。
（付記８）前記監視信号生成手段は、前記監視信号の波長を変換する監視信号波長変換手段を有し、
前記波長変換手段により、前記監視信号生成手段から出力される監視信号の波長が、前記入力光信号の波長と異なる波長に変換されることを特徴とする付記７記載の光クロスコネクト装置。
（付記９）前記光伝送信号入力部と前記合波手段との間に、前記入力信号光の波長を変換する入力信号波長変換手段を有することを特徴とする付記７又は８記載の光クロスコネクト装置。
（付記１０）前記光スイッチ回路と当該光クロスコネクト装置の光伝送信号出力部との間に設けられた手段であって、前記光スイッチ回路から出力された光信号を分波する分波手段を有し、
前記分波手段により、前記監視信号を分波することを特徴とする付記７ないし９いずれか一項記載の光クロスコネクト装置。
（付記１１）波長群単位でスイッチングする光スイッチ回路を有する光クロスコネクト装置において、
波長単位の光信号を合波して波長群の光信号とする合波手段と、
前記光スイッチ回路を監視する監視信号であって、当該光クロスコネクト装置の光伝送信号入力部に供給された入力光信号の波長の一つと同一の波長の監視信号を生成する監視信号生成手段と、
前記光伝送信号入力部に供給された前記監視信号の波長と同一の波長の入力光信号の光レベルをモニタする入力光レベルモニタ手段と、
前記入力光レベルモニタ手段の出力に基づいて、前記監視信号生成手段を制御する監視信号制御手段とを有し、
前記合波手段は、前記監視信号生成手段で生成した監視信号の光信号と前記光伝送信号入力部に供給された波長単位の光信号とを合波して、合波した波長群の光信号を前記光スイッチ回路に供給することを特徴とする光クロスコネクト装置。
（付記１２）前記監視信号生成手段は、前記監視信号の波長を変換する監視信号波長変換手段を有し、
前記波長変換手段により、前記監視信号生成手段から出力される監視信号の波長が、前記入力信号光の波長の一つと同一の波長に変換されることを特徴とする付記１１記載の光クロスコネクト装置。
（付記１３）前記光伝送信号入力部と前記合波手段との間に、前記入力信号光の波長を変換する入力信号波長変換手段を有することを特徴とする付記１１又は１２記載の光クロスコネクト装置。
（付記１４）前記光スイッチ回路と当該光クロスコネクト装置の光伝送信号出力部との間に設けられた手段であって、前記光スイッチ回路から出力された光信号を分波する分波手段を有し、
前記分波手段により、前記監視信号を分波することを特徴とする付記１１ないし１３いずれか一項記載の光クロスコネクト装置。
（付記１５）前記分波手段と当該光クロスコネクト装置の光伝送信号出力部との間に設けられた手段であって、前記分波手段で分波された前記監視信号を遮断する出力遮断手段と、
前記入力光レベルモニタ手段の出力に基づいて、前記出力遮断手段を制御する出力光信号制御手段とを有することを特徴とする付記１４記載の光クロスコネクト装置。
（付記１６）前記出力遮断手段は、１の入力端に対して２以上の出力端を備えた出力先選択手段を有することを特徴とする付記１５記載の光クロスコネクト装置。
（付記１７）前記光スイッチ回路の未使用入力ポートと未使用出力ポート間の接続を制御する光スイッチ制御手段を有することを特徴とする付記１０、１４又は１６記載の光クロスコネクト装置。
（付記１８）光スイッチ回路を有する光クロスコネクト装置の監視方法において、
当該光クロスコネクト装置の光伝送信号入力部に供給された波長単位、波長群単位又は光ファイバ単位の光信号の光レベルが、所定レベル以下の場合、前記光スイッチ回路を監視するための監視信号を、波長単位、波長群単位又は光ファイバ単位毎に、前記光スイッチ回路に供給することを特徴とする光クロスコネクト装置の監視方法。
【０１２５】
【発明の効果】
上述の如く本発明によれば、光クロスコネクト装置を構成する光スイッチの動作確認を常時行うことができ、安定性及び信頼性の高い光クロスコネクト装置及び光クロスコネクト装置の監視方法を提供することができる。
【０１２６】
【図面の簡単な説明】
【図１】従来の技術を説明するための図である。
【図２】第1の実施例における光クロスコネクト装置構成例を説明するための図である。
【図３】第２の実施例における光クロスコネクト装置構成例を説明するための図である。
【図４】第３の実施例における光クロスコネクト装置構成例を説明するための図である。
【図５】第４の実施例における光クロスコネクト装置構成例を説明するための図である。
【図６】第４の実施例における光クロスコネクト装置の動作例を説明するための図である。
【図７】第５の実施例における光クロスコネクト装置構成例を説明するための図である。
【図８】第６の実施例における光クロスコネクト装置構成例を説明するための図である。
【図９】第７の実施例における光クロスコネクト装置構成例を説明するための図である。
【図１０】第８の実施例における光クロスコネクト装置構成例を説明するための図である。
【図１１】第1０の実施例における光クロスコネクト装置構成例を説明するための図である。
【図１２】第１１の実施例における光クロスコネクト装置構成例を説明するための図である。
【図１３】第１２の実施例における光クロスコネクト装置構成例を説明するための図である。
【図１４】第１３の実施例における光クロスコネクト装置構成例を説明するための図である。
【図１５】第１４の実施例における光クロスコネクト装置構成例を説明するための図である。
【図１６】第１４の実施例における光クロスコネクト装置の動作例を説明するための図である。
【図１７】第１５の実施例における光クロスコネクト装置構成例を説明するための図である。
【図１８】第１６の実施例における光クロスコネクト装置構成例を説明するための図である
【図１９】入力信号モニタ部の構成例を説明するための図である。
【図２０】出力信号モニタ部の構成例を説明するための図である。
【図２１】出力遮断部の構成例を説明するための図である。
【図２２】出力先選択部及び監視信号処理部の構成例を説明するための図である。
【符号の説明】
１    光伝送信号入力部
２    光伝送信号出力部
３、７３    光スイッチ部
４、９２    入力信号モニタ部
５    入力光信号制御部
６、７１、９４    監視信号生成部
７    入力光信号選択部
１０、２０、３０、４０、５０、６０、７０、８０、９０、１００、１１０、１２０、１３０、１４０、１５０、１６０    光クロスコネクト装置
２１、９８    出力信号モニタ部
２２、１１２    出力遮断部
２３、１１１    出力光信号制御部
２４、１１３    出力先選択部
２５、７５、１１４    監視信号処理部
２６、１１３    光スイッチ制御部
７２、９５    合波器
７４、９６    分波器
７６、９４、９９    監視信号生成部
７７、９１、９７    波長変換部
９３    監視信号制御部
【図１】
2004207863.tif 000003
【図２】
2004207863.tif 000004
【図３】
2004207863.tif 000005
【図４】
2004207863.tif 000006
【図５】
2004207863.tif 000007
【図６】
2004207863.tif 000008
【図７】
2004207863.tif 000009
【図８】
2004207863.tif 000010
【図９】
2004207863.tif 000011
【図１０】
2004207863.tif 000012
【図１１】
2004207863.tif 000013
【図１２】
2004207863.tif 000014
【図１３】
2004207863.tif 000015
【図１４】
2004207863.tif 000016
【図１５】
2004207863.tif 000017
【図１６】
2004207863.tif 000018
【図１７】
2004207863.tif 000019
【図１８】
2004207863.tif 000020
【図１９】
2004207863.tif 000021
【図２０】
2004207863.tif 000022
【図２１】
2004207863.tif 000023
【図２２】
2004207863.tif 000024